(57)【要約】【課題】防水性の低下が起こりにくい目地構造を提供する。【解決手段】パネルＡの側端部に支持片３４が設けられる。二枚の前記パネルＡが隣接されて配置される。前記支持片３４の屋外側にガスケット６を設けた目地構造に関する。前記支持片３４の屋外側面に保持部材７が取り付けられる。この保持部材７に前記ガスケット６が保持される。【選択図】図１
2014101697.tif 000002
【特許請求の範囲】
【請求項１】
パネルの側端部に支持片が設けられ、二枚の前記パネルが隣接されて配置され、前記支持片の屋外側にガスケットを設けた目地構造であって、前記支持片の屋外側面に保持部材が取り付けられ、この保持部材に前記ガスケットが保持されて成ることを特徴とする目地構造。
【請求項２】
前記ガスケットは前記保持部材に係止して保持されていることを特徴とする請求項１に記載の目地構造。
【請求項３】
前記保持部材はアルミニウム製の形材であることを特徴とする請求項１又は２に記載の目地構造。
【発明の詳細な説明】
【技術分野】
【０００１】
本発明は、家屋やビルの外壁等に適用することができる目地構造に関するものである。
【背景技術】
【０００２】
従来より、複数枚のパネルを横方向に並設することにより外壁等の壁を形成することが行われている。また、横方向で隣接するパネルの接続箇所には目地が形成されており、この目地構造としては各種のものが提案されている（例えば、特許文献１参照）。
【０００３】
例えば、図８（ａ）に示すものは、サンドイッチパネル等のパネルＡを用いた壁の目地構造を示す。サンドイッチパネルは、二枚の金属外皮の間に芯材を充填して形成されるものである。二枚の金属外皮のうち、屋外側に向けて配置される金属外皮１には、パネルＡの側端部に突出する支持片３４が設けられている。そして、パネルＡの支持片３４の先端面と他のパネルＡの支持片３４の先端面とを対向させて二枚のパネルＡを配置し、隣接する二つの支持片３４の表面（屋外側面）に跨るようにしてガスケット６を配設することによって、目地５が形成されている。ガスケット６は支持片の表面にシーリング材６０等で接着されている。また、図８（ｂ）に示すものでは、ガスケット６の背面（屋内側面）に係着部６１を突設し、隣接する二つの支持片３４の表面に跨るようにしてガスケット６を配設すると共に、隣接する支持片３４の対向する端面間に係着部６１を表面側から差し込んで支持片３４に係着する。このようにして目地５が形成されている。
【先行技術文献】
【特許文献】
【０００４】
【特許文献１】特許第３９２１０１４号公報
【発明の概要】
【発明が解決しようとする課題】
【０００５】
しかし、支持片３４は金属外皮１の側端部に形成されているために、金属板をロール成形等して金属外皮１を形成する際に生じる歪が支持片３４に集中しやすくなり、支持片３４の位置や形状がパネルＡ毎にばらついて不安定になりやすかった。この場合、支持片３４とガスケット６の間に隙間が生じて目地５の防水性が低下することがあった。特に、パネルＡの上下端部に嵌合凸部と嵌合凹部とを設けている場合は、その形状にあわせて金属外皮１の成形部分が増加するために、支持片３４に歪がさらに生じやすくなり、目地５の防水性の低下が起こりやすかった。
【０００６】
本発明は上記の点に鑑みてなされたものであり、防水性の低下が起こりにくい目地構造を提供することを目的とするものである。
【課題を解決するための手段】
【０００７】
本発明に係る目地構造は、パネルの側端部に支持片が設けられ、二枚の前記パネルが隣接されて配置され、前記支持片の屋外側にガスケットを設けた目地構造であって、前記支持片の屋外側面に保持部材が取り付けられ、この保持部材に前記ガスケットが保持されて成ることを特徴とするものである。
【０００８】
本発明にあっては、前記ガスケットは前記保持部材に係止して保持されているのが好ましい。
【０００９】
本発明にあっては、前記保持部材はアルミニウム製の形材であることが好ましい。
【発明の効果】
【００１０】
本発明では、支持片に対して保持部材の取り付け位置を調整することによって、支持片に歪が生じている場合であっても、保持部材に保持されたガスケットをパネルに密着させるように配設することができ、防水性の低下が起こりにくいものである。
【図面の簡単な説明】
【００１１】
【図１】本発明の実施の形態の一例を示す一部の断面図である。
【図２】（ａ）はパネルの一方の金属外皮の一例を示す断面図、（ｂ）はパネルの一方の金属外皮の一部の一例を示す断面図、（ｃ）はパネルの他方の金属外皮の一例を示す断面図、（ｄ）はパネルの一部の一例を示す平面図である。
【図３】パネルの一例を示す断面図である。
【図４】パネルの一例を示す斜視図である。
【図５】パネルの一例を示し、（ａ）（ｂ）は一部の斜視図である。
【図６】本発明の実施の形態の一例を示し、（ａ）は斜視図、（ｂ）は断面図である。
【図７】本発明の他の実施の形態の一例を示す断面図である。
【図８】従来例を示し、（ａ）（ｂ）は断面図である。
【発明を実施するための形態】
【００１２】
以下、本発明を実施するための形態を説明する。
【００１３】
本発明の目地構造は、横方向（水平方向）で隣接する二枚のパネルＡと、その間に配置される保持部材及びガスケット等を備えて形成されている。
【００１４】
パネルＡとしては、図３に示すように、二枚の金属外皮１、２の間に芯材３を充填して形成されるサンドイッチパネルを用いることができる。金属外皮１、２は一方がパネルＡの表面側（屋外側）を、他方がパネルＡの裏面側（屋内側）を構成するものである。金属外皮１，２は、例えば、塗装鋼板、亜鉛めっき鋼板、アルミニウム−亜鉛合金めっき鋼板、ステンレス鋼板、チタン板などの金属板をロール成形等により所望の形状に加工して形成することができる。また、芯材３としては、例えば、フェノールフォームやウレタンフォームなどの樹脂発泡体やグラスウールやロックウールなどの無機繊維体などの断熱材を用いることができる。
【００１５】
図２（ａ）（ｂ）に示すように、表面側の金属外皮１は、平面部１ａと折り返し部２０と被覆部２３と目地片４などを備えて形成されている。
【００１６】
平面部１ａは金属外皮１の略全体を構成する平面板状に形成されている。
【００１７】
折り返し部２０は金属外皮１の上端部に位置し、金属外皮１の横方向（水平方向）の略全長に亘って設けられており、金属外皮１の裏面側に折り返し屈曲されて断面略逆Ｕ字状に形成されている。折り返し部２０の端部には凹部底面片２１が設けられている。凹部底面片２１は折り返し部２０の横方向の略全長に亘って外方（平面部１ａと反対側）に向かって突設されている。また、凹部底面片２１の先端には差し込み片２２が設けられている。差し込み片２２は凹部底面片２１の横方向の略全長に亘って下方に向かって突設されている。
【００１８】
被覆部２３は金属外皮１の下端部に位置し、金属外皮１の横方向の略全長に亘って設けられており、金属外皮１の裏面側に折り返し屈曲されて断面略Ｕ字状に形成されている。被覆部２３の端部には傾斜片２４が設けられている。傾斜片２４は被覆部２３の横方向の略全長に亘って斜め外方（平面部分１ａと反対側）に向かって上り傾斜して形成されている。また、傾斜片２４の先端には凹曲部２５が設けられている。凹曲部２５は断面略逆Ｌ字状に形成されており、傾斜片２４の横方向の略全長に亘って上方に突出するように設けられている。また、凹曲片２５の先端には断面略Ｌ字状の凸部覆い片２６が突設されている。凸部覆い片２６は凹曲片２５の横方向の略全長に亘って下方に向かって突設されている。また、凸部覆い片２６の先端には差し込み片２７が設けられている。差し込み片２７は凸部覆い片２６の横方向の略全長に亘って上方に向かって突設されている。
【００１９】
目地片４は金属外皮１の両側端部に位置し、箱折加工などにより形成されるものであって、金属外皮１の折り返し部２０の基部から被覆部２３の下端に至るまで、すなわち、金属外皮１の上端部を除く縦方向（鉛直方向）の略全長に亘って形成されている。また、目地片４は、平面部１ａと略面一に延設される延設部３２と、延設部３２の先端から金属外皮１の裏面側に略垂直に屈曲形成される挟持片３３と、挟持片３３の先端から外方に向かって平面部１ａと略平行に突設された支持片３４とを備えて断面略Ｚ字状に形成されている。
【００２０】
平面部１ａと折り返し部２０の基部との間には第一凹段部３５と第二凹段部３６が形成されている。第一凹段部３５と第二凹段部３６は金属外皮１の上部の横方向の全長に亘って形成されており、第一凹段部３５及び第二凹段部３６のいずれもが両側端部の目地片４、４の表面にまで形成されている。
【００２１】
図２（ｃ）で示すように、裏面側の金属外皮２は、金属外皮２の略全体を構成する平面部２ａと、金属外皮２の上端部に位置する折り返し部８７と、金属外皮２の下端部に位置する凸部覆い片３０などを備えて形成されている。
【００２２】
折り返し部８７は断面略逆Ｕ字状で、金属外皮２の横方向（水平方向）の略全長に亘って設けられており、金属外皮２の裏面側に折り返し屈曲されて断面略逆Ｕ字状に形成されている。折り返し部８７の端部には凹部底面片２８が設けられている。凹部底面片２８は折り返し部８７の横方向の略全長に亘って外方（平面部２ａと反対側）に向かって突設されている。また、凹部底面片２８の先端には差し込み片２９が設けられている。差し込み片２９は凹部底面片２８の横方向の略全長に亘って下方に向かって突設されている。
【００２３】
凸部覆い片３０は金属外皮２の横方向の略全長に亘って突設されており、断面略Ｌ字状で平面部２ａの下端から下方に向かって突出するように形成されている。また、凸部覆い片３０の先端には差し込み片３１が設けられている。差し込み片３１は凸部覆い片３０の横方向の略全長に亘って上方に向かって突設されている。さらに、裏面側の金属外皮２の平面部２ａと凸部覆い片３０に境界部分には横方向の全長に亘って下部凹段部４０が形成されている。
【００２４】
そして、図３、４及び図５（ａ）（ｂ）に示すように、金属外皮１、２をその裏面同士が対向するようにして配置すると共に金属外皮１、２の間に芯材３と炭酸カルシウム等で形成される耐火材３７、３９とを介装して充填し、金属外皮１、２に芯材３及び耐火材３７、３９を接着するなどして一体化することにより、本発明で使用するパネルＡを形成することができる。
【００２５】
ここで、芯材３は金属外皮１、２の平面部１ａ、２ａの間の略全体に亘って充填されている。また、耐火材３７、３９は芯材３の上側と下側において断熱パネルＡの上部と下部に充填されている。上側の耐火材３７は第二凹段部３６の上側において金属外皮１、２の間に配置されている。従って、金属外皮１、２の折り返し部２０、８７の内側の空間及び金属外皮１、２の第二凹段部３６よりも上側部分の空間に上側の耐火材３７が充填されており、また、差し込み片２２、２９が上側の耐火材３７に差し込まれ、さらに上側の耐火材３７の上面は凹部底面片２１、２８で覆われている。そして、対向配置された折り返し部２０と折り返し部８７の間の空間が凹部底面片２１、２８を底面とする嵌合凹部３８として形成されるものである。この嵌合凹部３８の底面にはパッキン７６が全長に亘って設けられている。
【００２６】
また、下側の耐火材３９は下部凹段部４０の下側において金属外皮１、２の間に配置されている。従って、金属外皮１の被覆部２３の内側の空間及び金属外皮１、２の下部凹段部４０よりも下側部分の空間に下側の耐火材３９が充填されており、また、差し込み片２７、３１が下側の耐火材３９に差し込まれ、さらに下側の耐火材３９の下面は凸部覆い片２６、３０で覆われている。そして、対向配置された凸部覆い片２６と凸部覆い片３０及びその間に充填された下側の耐火材３９により嵌合凸部４１が形成されるものである。また、目地片４は芯材３や耐火材３７、３９よりも外側方に向かって突出するものである。
【００２７】
保持部材７は、金属材料やプラスチックなどで縦方向に長尺に形成されるものであって、図１に示すように、連結片７ａとその両端に突設された一対の側片７ｂ、７ｂとにより、前面（屋外側面）が開口する断面略コ字状に形成され、各側片７ｂの先端（前端）に突設された係止突片７ｃとを備えて形成されている。各係止突片７ｃは保持部材７の内側（連結片７ａ側）に向かって側片７ｂに略垂直に突設され、互いに対向するように形成されている。保持部材７はアルミニウム製の形材であることが好ましく、これにより、長尺であっても安定した一定形状の保持部材７を得ることができる。
【００２８】
ガスケット６は、エチレンプロピレンゴム（ＥＰＤＭ）やシリコーンゴム（特に、ガスケット６が黒色以外の場合）、あるいはこれらよりも耐火性の高いクロロプレンゴムなどのゴム弾性体等の成形品で長尺なものであって、図１に示すように、ガスケット６の両方の側面には一対の防水片４２，４５が突設されている。防水片４２，４５は前後方向に対向して配置され、ガスケット６の全長にわたって設けられている。また、ガスケット６の背面（後面）には係合部４４がガスケット６の全長にわたって突設されている。係合部４４の内部には孔部５４がガスケット６の全長にわたって形成されており、これにより、係合部４４を容易に押圧して弾性変形することができる。さらに、ガスケット６の正面（前面）には凹溝４６がガスケット６の全長にわたって突設されている。凹溝４６の内側には楔部材４７が装着可能に形成されている。楔部材４７はガスケット６と同様にゴム弾性体等で形成することができるが、ガスケット６よりも剛性の高い方が好ましい。楔部材４７を凹溝４６に装着すると、ガスケット６が楔部材４７で内側から押されて横方向に広がるように変形するものである。
【００２９】
そして、この実施の形態の目地構造は次のようにして形成することができる。まず、パネルＡの側方に他のパネルＡを隣接して配置する。このとき、図１に示すように、一方のパネルの挟持片３３と、他方のパネルＡの挟持片３３とを間隙を介して対向配置すると共に、一方のパネルの支持片３４の前側（屋外側）に他方のパネルＡの支持片３４を重ね合わせて配置する。重なり合った支持片３４、３４の間にはパッキン５５を縦方向の全長にわたって介在させることができる。尚、図１においては、パネルＡは金属外皮１のみを記載し、パネルＡのその他の構成は図示を省略している。次に、保持部材７を目地片４の表面側（屋外側）に配置し、ビス等の固定具４８で支持片３４に固定する。固定具４８は保持部材７の連結片７ａの表面から二つの支持片３４，３４を厚み方向に貫通するようにして打ち込まれる。次に、支持片３４に固定した保持部材７にガスケット６を取り付ける。この場合、ガスケット６の係合部４４を幅方向で押圧して弾性変形させた後、保持部材７の一対の側片７ｂ、７ｂの間に表面側から挿入し、この後、係合部４４を復元させるようにする。これにより、係止突片７ｃが係合部４４に食い込んでガスケット６を保持部材７に保持して装着することができる。次に、保持部材７に装着したガスケット６の凹溝４６に楔部材４７を表面側から差し込んで装着する。これにより、ガスケット６を幅方向で拡張させて防水片４２，４５をパネルＡの側端面（挟持片３３の表面）に弾接することができ、防水効果を高めることができる。このようにして目地片４と保持部材７及びガスケット６等からなる目地構造を形成することができる。
【００３０】
この実施の形態では、支持片３４に直接ガスケット６を取り付けずに、支持片３４に対して保持部材７を介してガスケット６を取り付けているので、支持片３４に対して保持部材７の取り付け位置を調整することによって、支持片３４に歪が生じている場合であっても、保持部材７に保持されたガスケット６をパネルＡの挟持片３３の表面に密着させるように配設することができ、防水性の低下が起こりにくくすることができる。
【００３１】
パネルＡは梁や柱等の壁下地に取り付けて施工され、複数枚のパネルＡを縦横に並設することにより外壁等の壁を形成することができる。横方向で隣接するパネルＡは上記のような目地５を形成して施工される。縦方向で隣接するパネルＡは嵌合凹部３８と嵌合凸部４１とを嵌合して接続するようにして施工される。すなわち、下側のパネルＡの嵌合凸部４１と上側のパネルＡの嵌合凹部３８とを嵌合することにより、縦方向で隣接するパネルＡが接続される。また、上側のパネルＡの被覆部２３と下側のパネルＡの第二凹段部３６との間には横方向に長い目地８が形成されている。目地８の側端部には気密部材５１が設けられている。そして、縦横に隣接した四枚のパネルＡの角部分が集まる部分において、図６（ａ）に示すように、目地５には交差部用ジョイント材５０が設けられる。
【００３２】
交差部用ジョイント材５０はゴム等で形成されるものであって、前面が開口する断面略コ字状に形成されている。図６（ｂ）に示すように、交差部用ジョイント材５０はその外側面をパネルＡの挟持片３３の表面に密着させて設けられている。また、交差部用ジョイント材５０は縦方向で隣接するパネルＡ、Ａの間にわたって配設されている。また、交差部用ジョイント材５０の内側には上記ガスケット６が縦方向に挿通して配設されている。交差部用ジョイント材５０の内側面にはガスケット６の防水片４２，４５を弾接させている。このように交差部用ジョイント材５０を用いることにより、目地５，８の交差部分における防水性を向上させることができる。
【００３３】
図７に他の実施の形態を示す。この目地構造では、保持部材７の形状とガスケットの形状が異ること以外は、図１のものと同様である。
【００３４】
保持部材７は上記と同様に金属材料等で縦方向に長尺に形成されるものであって、図７に示すように、連結片７ａとその両端に突設された一対の側片７ｂ、７ｂとにより、前面（屋外側面）が開口する断面略コ字状に形成され、各側片７ｂの先端（前端）に突設された係止突片７ｃとを備えて形成されている。各係止突片７ｃは保持部材７の内側（連結片７ａ側）に向かって側片７ｂに略垂直に突設され、互いに対向するように形成されている。また、各側片７ｂの外側面には係止段部７ｄが略全長にわたって形成されている。保持部材７は上記と同様にアルミニウム製の形材であることが好ましい。
【００３５】
ガスケット６は上記と同様にゴム弾性体等の成形品で長尺なものであって、図７に示すように、ガスケット６の両方の側面には一対の防水片４２，４５が突設されている。防水片４２，４５は前後方向に対向して配置され、ガスケット６の全長にわたって設けられている。また、ガスケット６には背面に開口する溝部５２が全長にわたって設けられており、ガスケット６は背面が開口する断面略コ字状に形成されている。また、溝部５２の底面には係合部４４がガスケット６の全長にわたって突設されている。係合部４４の内部には孔部５４がガスケット６の全長にわたって形成されており、これにより、係合部４４を容易に押圧して弾性変形することができる。また、ガスケット６の後端部には係着突部５３が略全長にわたって設けられている。
【００３６】
そして、この実施の形態の目地構造は次のようにして形成することができる。まず、上記と同様にパネルＡの側方に他のパネルＡを隣接して配置する。このとき、図７に示すように、一方のパネルの挟持片３３と、他方のパネルＡの挟持片３３とを間隙を介して対向配置すると共に、一方のパネルの支持片３４の前側（屋外側）に他方のパネルＡの支持片３４を重ね合わせて配置する。尚、図７においては、パネルＡは金属外皮１のみを記載し、パネルＡのその他の構成は図示を省略している。次に、保持部材７を目地片４の表面側（屋外側）に配置し、ビス等の固定具４８で支持片３４に固定する。固定具４８は保持部材７の連結片７ａの表面から二つの支持片３４，３４を厚み方向に貫通するようにして打ち込まれる。次に、支持片３４に固定した保持部材７にガスケット６を取り付ける。この場合、ガスケット６の溝部５２の内側に保持部材７を挿入し、ガスケット６の係合部４４を幅方向で押圧して弾性変形させた後、保持部材７の一対の側片７ｂ、７ｂの間に表面側から挿入し、この後、係合部４４を復元させるようにする。これにより、係止突片７ｃが係合部４４に食い込んでガスケット６を保持部材７に保持して装着することができる。また、ガスケット６の係着突部５３を保持部材７の係止段部７ｄに係止する。これにより、ガスケット６を幅方向で拡張させて防水片４２，４５をパネルＡの側端面（挟持片３３の表面）に弾接することができ、防水効果を高めることができる。このようにして目地片４と保持部材７及びガスケット６等からなる目地構造を形成することができる。
【００３７】
この実施の形態では、係止突片７ｃと係合部４４の係止及び係着突部５３と係止段部７ｄの係止により、保持部材７にガスケット６を強固に保持することができるものである。
【符号の説明】
【００３８】
Ａ  パネル
６  ガスケット
７  保持部材
３４  支持片
【図１】
2014101697.tif 000003
【図２】
2014101697.tif 000004
【図３】
2014101697.tif 000005
【図４】
2014101697.tif 000006
【図５】
2014101697.tif 000007
【図６】
2014101697.tif 000008
【図７】
2014101697.tif 000009
【図８】
2014101697.tif 000010